【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
ポリマーおよび
前記ポリマー中に含浸された有効量の薬理学的作用物質
を含む組成物。
【請求項２】
前記薬理学的作用物質が抗血栓形成性作用物質である、請求項１記載の組成物。
【請求項３】
前記ポリマーが生体適合性ポリマーである、請求項１記載の組成物。
【請求項４】
前記ポリマーが、ポリエーテル、ポリウレタン、ポリエステルウレタン、ポリエーテルウレタン、ポリエーテルウレタン尿素、ポリエステル、ポリカーボネート、低密度ポリエチレン、中密度ポリエチレン、高密度ポリエチレン、ポリエチレンテレフタレート、ポリビニルクロリド、ポリプロピレン、ポリスチレン、ポリアミド、ポリアクリルアミド、ポリアクリレートおよびこれらのポリマーの組み合わせからなる群から選択される、請求項３記載の組成物。
【請求項５】
前記ポリマーがポリウレタンであり、前記抗血栓形成性作用物質がヘパリンである、請求項２記載の組成物。
【請求項６】
前記ヘパリンが、ヒトヘパリン、ウシヘパリン、ブタヘパリン、ヘパリンサルフェート、低分子量ヘパリン、ヘパリン類似体、合成ヘパリン、ヘパラノイドおよびこれらのヘパリンの組み合わせからなる群から選択される、請求項５記載の組成物。
【請求項７】
更に、前記ポリウレタンの少なくとも１つの表面にコーティングされたヘパリンを含む、請求項５記載の組成物。
【請求項８】
更に錯化剤を含む、請求項１記載の組成物。
【請求項９】
前記錯化剤が、ベンザルコニウム塩、アンモニウム塩、トリドデシルアンモニウムクロリド、セチルピリミジンクロリド、ステリルアンモニウムクロリドおよびこれらの塩の組み合わせからなる群から選択される、請求項８記載の組成物。
【請求項１０】
更に錯化剤を含む、請求項２記載の組成物。
【請求項１１】
前記薬理学的作用物質が、ヒトヘパリン、ウシヘパリン、ブタヘパリン、ヘパリンサルフェート、低分子量ヘパリン、ヘパリン類似体、合成ヘパリン、ヘパラノイドおよびこれらのヘパリンの組み合わせからなる群から選択されるヘパリンである、請求項１０記載の組成物。
【請求項１２】
前記ポリマーがポリエーテルウレタンまたはポリエステルウレタンであり、前記抗血栓形成性作用物質がヘパリンであり、前記錯化剤がベンザルコニウムクロリドである、請求項１０記載の組成物。
【請求項１３】
前記ポリマーが、式（Ｉ）
【化１】
2008544769.tif 000001
［式中、Ｒ１およびＲ２は、それぞれ独立して、飽和炭化水素、不飽和炭化水素、置換フェニル、非置換フェニル、フェノキシ、トルエンイソシアネート、トルエンジイソシアネート、ポリイソシアネートからなる群から選択され、ｘおよびｙはそれぞれ約５０から約１，０００までの間である］を有する化合物を含む、請求項１記載の組成物。
【請求項１４】
Ｒ１およびＲ２が、それぞれ独立して、式（ＩＩ）
【化２】
2008544769.tif 000002
［式中、Ｒ３およびＲ４は、それぞれ独立して、芳香族または脂肪族の環状炭化水素であり、ｎは約１から約５００までの間である］を有する化合物を含む、請求項１３記載の組成物。
【請求項１５】
前記ポリマーがブロックポリスチレンコポリマーであり、前記抗血栓形成性作用物質がヘパリンであり、前記錯化剤がベンザルコニウムクロリドである、請求項１０記載の組成物。
【請求項１６】
前記ブロックポリスチレンコポリマーが、式（ＩＩＩ）
【化３】
2008544769.tif 000003
［式中、Ｒ５はジエンであり、ａ、ｂおよびｃは、それぞれ独立して、約１０から約１，０００までの間である］を有する化合物を含む、請求項１５記載の組成物。
【請求項１７】
更に、前記ポリマーの少なくとも１つの表面にコーティングされた付加的な薬理学的作用物質を含む、請求項１３記載の組成物。
【請求項１８】
更に錯化剤を含む、請求項１３記載の組成物。
【請求項１９】
１当量の前記ポリマー当たり約０．０５当量から約０．５当量までの前記薬理学的作用物質を含む、請求項１記載の組成物。
【請求項２０】
更に前記組成物上に表面被覆物を含み、薬理学的作用物質が前記表面被覆物中に均一に組み込まれている、請求項１記載の組成物。
【請求項２１】
ヒト心臓の心室として使用すべく構築および配置された装置であって、ポリマーおよび前記ポリマー中に含浸された薬理学的作用物質を含む組成物を含んでいる装置。
【請求項２２】
前記ポリマーがポリウレタンであり、前記薬理学的作用物質がヘパリンである、請求項２１記載の装置。
【請求項２３】
前記ヘパリンが錯化剤を用いて錯体化されている、請求項２２記載の装置。
【請求項２４】
前記ヘパリンが、ヒトヘパリン、ウシヘパリン、ブタヘパリン、ヘパリンサルフェート、低分子量ヘパリン、ヘパリン類似体、合成ヘパリン、ヘパラノイドおよびこれらのヘパリンの組み合わせからなる群から選択される、請求項２２記載の装置。
【請求項２５】
更に、
第１チャンバ、
前記第１チャンバと流体連通しているインプットポートであって、流体が前記第１チャンバ内に流入することができるように構成されているインプットポート、および
前記第１チャンバと流体連通しているアウトプットポートであって、流体が前記第１チャンバからヒトの動脈系へ流れることができるように構成されているアウトプットポートを含む、請求項２１記載の装置。
【請求項２６】
前記インプットポートおよび前記アウトプットポートのうちの一方または両方が弁を含む、請求項２５記載の装置。
【請求項２７】
更に、
第１チャンバ、
前記第１チャンバと流体連通しているインプットポート、
前記第１チャンバと流体連通している第２チャンバ、
前記第１チャンバから前記第２チャンバへの流体の流れを制御すべく構成されている弁、および
前記第２チャンバと流体連通しているアウトプットポートであって、ヒトの動脈系への流体の流れをもたらすべく構成されているアウトプットポート
を含む、請求項２１記載の装置。
【請求項２８】
前記装置のすべての血液接触面が、ポリマーおよび前記ポリマー中に含浸された抗血栓形成性作用物質を含む組成物を含んでいる、請求項２１記載の装置。
【請求項２９】
薬理学的作用物質の持続的な放出をもたらすべく構築および配置されている心室補助装置。
【請求項３０】
更に表面被覆物を含み、前記薬理学的作用物質が前記表面被覆物中に均一に組み込まれている、請求項２９記載の心室補助装置。
【請求項３１】
前記薬理学的作用物質がポリウレタン中に含浸されているヘパリンである、請求項２９記載の心室補助装置。
【請求項３２】
更に、
第１チャンバ、
前記第１チャンバと流体連通しているインプットポートであって、流体が前記第１チャンバ内に流入することができるように構成されているインプットポート、および
前記第１チャンバと流体連通しているアウトプットポートであって、流体が前記第１チャンバからヒトの動脈系へ流れることができるように構成されているアウトプットポートを含む、請求項２９記載の心室補助装置。
【請求項３３】
更に、
第１チャンバ、
前記第１チャンバと流体連通しているインプットポート、
前記第１チャンバと流体連通している第２チャンバ、
前記第１チャンバから前記第２チャンバへの流体の流れを制御すべく構成されている弁、および
前記第２チャンバと流体連通しているアウトプットポートであって、ヒトの動脈系への流体の流れをもたらすべく構成されているアウトプットポート
を含む、請求項２９記載の心室補助装置。
【請求項３４】
カテーテルにおいて、
嚢であり、前記嚢に含浸された第１薬理学的作用物質を含む嚢、および
前記嚢に接続されたチューブであって、前記嚢を膨らませるべく機能するチューブ
を含むカテーテル。
【請求項３５】
前記第１薬理学的作用物質がヘパリンである、請求項３４記載のカテーテル。
【請求項３６】
前記嚢がポリウレタンを含む、請求項３４記載のカテーテル。
【請求項３７】
前記嚢が更に表面被覆物を含み、表面被覆物は前記表面被覆物に均一に組み入れられた第２薬理学的作用物質を含んでおり、ここで、前記第２薬理学的作用物質は前記第１薬理学的作用物質と同じであってよく、または異なっていてもよい、請求項３６記載のカテー
テル。
【請求項３８】
前記第１および第２薬理学的作用物質がそれぞれヘパリンである、請求項３７記載のカテーテル。